(57)【要約】【課題】戸当たり材を取付けた門扉において、その戸当たり部材が門扉の面から突出せず、閉鎖時における召合せ部の外観が左右連続する外観を備えることができ、かつ、両縦框に同一のキャップの装着が可能な門扉を提供する。【解決手段】  縦框の基部の一端に、細幅で、側面には戸当り材取付部を、正面又は背面には他の門扉等に取り付けられた戸当り材と当接する戸当り材当接部を有する戸当り部を設け、その戸当り部の戸当り材取付部に、基部の戸当り部と反対側の面と同一面に外面を有する戸当り材を取り付け、縦框の基部の少なくとも戸当り部側の一部と、戸当り部と、戸当り材の長手方向端面を被覆するキャップを取付けた。【選択図】  図２
2008184833.tif 000002
【特許請求の範囲】
【請求項１】
門扉の一つの構成要素である縦框の基部の一端に、その基部よりも細幅で、かつ、側面には戸当り材取付部を、正面又は背面には他の門扉等に取り付けられた戸当り材と当接する戸当り材当接部を有する戸当り部を設け、前記戸当り部の戸当り材取付部に、前記基部の前記戸当り部と反対側の面と同一面に外面を有する戸当り材を取り付け、前記縦框の基部の少なくとも前記戸当り部側の一部と、前記戸当り部と、前記戸当り材の長手方向端面を被覆するキャップを取付けたことを特徴とする門扉。
【請求項２】
戸先側縦框の上、下端部に固着されるキャップは同一形状に作られ、戸先側縦框の下端部に取り付けられるキャップには落とし錠の落とし棒を貫通するための孔が形成されていることを特徴とする請求項１記載の門扉。
【請求項３】
縦框の戸当たり部は横断面形状が先細の台形状に形成され、戸当たり材は横断面形状がＬ字形に形成されて、その戸当たり材はＬ字の一辺が前記縦框の戸当たり部の戸当り材取付部に固着され、キャップは前記縦框の戸当たり部とほぼ同一形状の縦框被覆部と、前記戸当たり材のＬ字形とほぼ同一形状の戸当たり材被覆部とを一体に有することを特徴とする請求項１又は２記載の門扉。
【請求項４】
門扉は両開き門扉であり、その受け扉と掛け扉の召し合わせ框の前記戸当たり部の上端部に前記キャップが取り付けられ、両門扉が閉鎖された状態で、各門扉の基部と戸当り材の外面とが一つの垂直面上に存在することを特徴とする請求項１，２又は３記載の門扉。
【請求項５】
受け扉の召し合わせ框の戸当たり材と掛け扉の召し合わせ框の戸当たり材は反転対称形であり、かつ、前記受け扉の召し合わせ框及び前記掛け扉の召し合わせ框に固着されるキャップは、各召し合わせ框の戸当たり部とほぼ同一形状の縦框被覆部と、前記戸当たり材とほぼ同一形状の戸当たり材被覆部とを一体に有するものであり、かつ、前記受け扉の召し合わせ框に固着されたキャップと前記掛け扉の召し合わせ框に固着されたキャップとは同一形状のキャップを反転対称形に取り付けてあることを特徴とする請求項１記載の門扉。
【発明の詳細な説明】
【技術分野】
【０００１】
本発明は、門扉、とくに戸当たり材を有するものに関する。
【背景技術】
【０００２】
一般に、図８に示すように、両開き門扉の掛け扉Ｄ２には、戸先側縦框１２の端部にその縦框の全長に渡って連続する戸当たり材２´が設けられる。従来、戸当たり材２´は、横断面Ｌ字状に形成され、その一辺が戸先側縦框１２の先端に固着され、他辺は門扉の正面又は背面から突出されている（特許文献１）。
【０００３】
従って、何ら造作をしない場合は、縦框１２と戸当たり材２´の上下両端部の切断面が露出されることとなって危険であるので、従来、縦框の上下端部に、戸当たり材２´が設けられる縦框１２には戸当たり材と縦框の上下端面を被覆する合成樹脂製のキャップが嵌着され、戸当たり材が設けられない受け扉Ｄ１の縦框１１には、縦框の上下端面のみを被覆する合成樹脂製のキャップが嵌着されている。
従来の門扉で使用されているキャップは、縦框と戸当たり材の上下両端部の輪郭の全体、又は縦框のみの上下両端部の輪郭の全体を被覆する大型のものである。また、受け扉と掛け扉に用いられるキャップは、戸当たり材の有無により形状・大きさが異なっている。そして、門扉に通常取り付けられる落とし錠の落とし棒は、縦框の中に昇降自在に設けられるので、縦框の下端部に取り付けらるキャップには、その落とし棒のための貫通孔が設けられている。
【特許文献１】特開平９−２７３３７１号公報
【発明の開示】
【発明が解決しようとする課題】
【０００４】
従って、従来は、戸当たり材付き縦框用の孔なしの大型キャップと孔付きの大型キャップの２種類、及び、戸当たり材なし縦框用の孔なしの大型キャップと孔付きの大型キャップの２種類を用意する必要があったので、コスト高になるとともに、部品管理も煩雑であるという問題があった。
【０００５】
縦框専用のキャップと、戸当たり材専用のキャップを用意することも考えられるが、その場合は、戸当たり材の断面積は比較的小さいので、戸当たり材専用のキャップの取付けが容易でないという新たな問題が生じる。
【０００６】
そして、従来の両開き門扉には、戸当たり材が掛け扉のみに、その一部が門扉の面から突出して設けられるので、図８の場合は、門扉の召し合わせ部の内側面に両側の框の間及び両側のキャップの間に隙間が露見され、縦框の上、下端の全面を覆う従来の大型のキャップは、その上、下端面から上、下方向に突出する。従って、従来の門扉は、一方側にのみ突出する戸当たり材と上端面から突出する形状・大きさの異なるキャップにより、閉鎖時における召合せ部の外観が左右の門扉に分断されている印象を与えるため、意匠的に好ましくなかった。
【０００７】
本発明は、上記の点に鑑みてなされたものであり、その課題は、戸当たり材を取付けた門扉において、その戸当たり部材が門扉の面から突出せず、閉鎖時における召合せ部の外観が左右連続する外観を備えることができ、かつ、両縦框に同一のキャップの装着が可能な門扉を提供することにある。
【課題を解決するための手段】
【０００８】
上記課題を解決するため、本発明に係る門扉は、縦框の基部の一端にその基部よりも細幅で、かつ、側面には戸当り材取付部を、正面又は背面には他の門扉等に取り付けられた戸当り材と当接する戸当り材当接部を有する戸当り部を設け、その戸当り部の戸当り材取付部に、基部の戸当り部と反対側の面と同一面に外面を有する戸当り材を取り付け、縦框の基部の少なくとも戸当り部側の一部と、戸当り部と、戸当り材の長手方向端面を被覆するキャップを取付けたことを特徴としている（請求項１）。
【０００９】
本発明は、また、戸先側縦框の上、下端部に固着されるキャップは同一形状に作られ、戸先側縦框の下端部に取り付けられるキャップには落とし錠の落とし棒を貫通するための孔が形成されていることを特徴としている（請求項２）。
【００１０】
本発明は、さらに、縦框の戸当たり部は横断面形状が先細の台形状に形成され、戸当たり材は横断面形状がＬ字形に形成されて、その戸当たり材はＬ字の一辺が縦框の戸当たり部の戸当り材取付部に固着され、キャップは縦框の戸当たり部とほぼ同一形状の縦框被覆部と、戸当たり材のＬ字形とほぼ同一形状の戸当たり材被覆部とを一体に有することを特徴としている（請求項３）。
【００１１】
本発明は、さらに、門扉が両開き門扉である場合において、その受け扉と掛け扉の召し合わせ框の前記戸当たり部の上端部に前記キャップが取り付けられ、両門扉が閉鎖された状態で、各門扉の基部と戸当り材の外面とが一つの垂直面上に存在することを特徴としている（請求項４）。
【００１２】
本発明は、さらに、受け扉の召し合わせ框の戸当たり材と掛け扉の召し合わせ框の戸当たり材は反転対称形であり、かつ、前記受け扉の召し合わせ框及び前記掛け扉の召し合わせ框に固着されるキャップは、各召し合わせ框の戸当たり部とほぼ同一形状の縦框被覆部と、前記戸当たり材とほぼ同一形状の戸当たり材被覆部とを一体に有するものであり、かつ、前記受け扉の召し合わせ框に固着されたキャップと前記掛け扉の召し合わせ框に固着されたキャップとは同一形状のキャップを反転対称形に取り付けてあることを特徴としている（請求項５）。
【発明の効果】
【００１３】
請求項１の発明によれば、キャップは縦框の基部の少なくとも戸当り部側の一部と、戸当り部と、戸当り材の長手方向端面を被覆するものであるから、門扉に取り付けられるキャップは小型とすることができる。また、戸当り部に取り付けられる戸当り材は縦框の基部の戸当り部と反対側の面と同一面に外面を有するから、門扉の面から突出しない。
【００１４】
請求項２の発明によれば、戸先側縦框の上、下端部に固着されるキャップは同一形状に作られ、戸先側縦框の下端部に取り付けられるキャップには落とし錠の落とし棒を貫通するための孔が形成されているので、戸先側縦框の下端部に固着されるキャップは上端部に取り付けられたキャップと同一の外観を有し、しかも、落とし錠の施錠・解錠が可能である。
【００１５】
請求項３の発明によれば、縦框の戸当たり部は横断面形状が先細の台形状に形成され、戸当たり材は横断面形状がＬ字形に形成されて、その戸当たり材はＬ字の一辺が縦框の戸当たり部の戸当り材取付部に固着され、キャップは縦框の戸当たり部とほぼ同一形状の縦框被覆部と、戸当たり材のＬ字形とほぼ同一形状の戸当たり材被覆部とを一体に有するので、戸当たり材の取付が容易であるとともに、キャップは縦框及び戸当たり材に見掛け上、一体不可分の外観体裁を与える。
【００１６】
請求項４の発明によれば、門扉が両開き門扉である場合において、その受け扉と掛け扉の召し合わせ框の前記戸当たり部の上端部に前記キャップが取り付けられ、両門扉が閉鎖された状態で、各門扉の基部と戸当り材の外面とが一つの垂直面上に存在するので、閉鎖された両門扉の召し合わせ部は左右に連続する外観を呈するため、従来にない意匠性を有する。
【００１７】
請求項５の発明によれば、受け扉の召し合わせ框の戸当たり材と掛け扉の召し合わせ框の戸当たり材は反転対称形であり、かつ、前記受け扉の召し合わせ框及び前記掛け扉の召し合わせ框に固着されるキャップは、各召し合わせ框の戸当たり部とほぼ同一形状の縦框被覆部と、前記戸当たり材とほぼ同一形状の戸当たり材被覆部とを一体に有するものであり、かつ、前記受け扉の召し合わせ框に固着されたキャップと前記掛け扉の召し合わせ框に固着されたキャップとは同一形状のキャップを反転対称形に取り付けてあるので、両開き門扉の受け扉と掛け扉の召し合わせ框を、１種類の戸先側縦框と１種類の戸当たり材を用いて組み立てることができ、かつ、１種類のキャップを取り付けるだけでよいので、製造コストの低減効果が大きい。また、完成した門扉の外観・意匠が簡素美麗である。
【発明を実施するための最良の形態】
【００１８】
次に、本発明の実施の形態について、図面に基づいて説明する。
図１は、本発明を適用して完成された門扉を取り付けた門の正面図、図２は図１の両開き門扉を左右に引き離して示した平面図、図３は図１のＸ部分の拡大図、図４は図３の  Ｙ−Ｙ線断面図、図５はキャップの展開図、図６は図２のＺ−Ｚ線に沿った断面図、図７は両開き門扉の閉鎖状態における召し合わせ部の上端面の外観を示す斜視図である。
【００１９】
図１において、Ｐ１，Ｐ２，Ｐ３は門柱である。門柱Ｐ１とＰ２の間に両開き門扉である受け扉Ｄ１と掛け扉Ｄ２が周知技術を用いて内開き式（家側に開く）に取り付けられて、車両用門を構成している。門柱Ｐ２とＰ３の間に片開き門扉である袖門扉Ｄ３が周知技術を用いて内開き式（家側に開く）に取り付けられて、通用門を構成している。
【００２０】
各扉Ｄ１，Ｄ２，Ｄ３は、従来と同様に、左右の縦框（１１，１１’；１２，１２’；１３，１３’）と上下の横框（１４，１４’。図６参照）を矩形に連結してなる枠体を有するとともに、その枠体に格子１５を取り付けて構成されている。図２に代表的に扉Ｄ１，Ｄ２について示すように、各扉の戸先側縦框１１，１２の門扉幅方向先端側に戸当たり材２１，２２が固着されている。そして、各戸先側縦框１１，１２の上、下端部には、その縦框の上、下端面及び戸当たり材２１，２２の上、下端面を被覆するキャップＡ１１，Ａ１２が取り付けられている。
【００２１】
しかし、本発明によるキャップＡ１１，Ａ１２は、戸先側縦框１１，１２の上、下端面の全部でなく、戸先側端部（門扉幅方向先端側部分）と戸当たり材の上、下端面を被覆することができる程度の小型のキャップである。門扉の吊り元側縦框１１’，１２’には、戸当たり材が取り付けられない。従って、吊り元側縦框１１’，１２’の上、下端部に取り付けられるキャップは、戸当たり材の上、下端面を被覆する部分が不要である。そこで、１種類のキャップを、戸当たり材付きの戸先側縦框１１，１２と戸当たり材なしの吊り元側縦框１１’，１２’の両方に取り付けることを可能にするため、次のような工夫をしてある。
【００２２】
すなわち、第１に、図２及び図４に示すように、縦框１１，１２は、横断面矩形状の基部１１ａ，１２ａの門扉幅方向先端側に横断面形状が先細の台形状に形成れた戸当たり部１１ｂ，１２ｂを一体に備えた構成とされている。戸当たり部１１ｂ，１２ｂは、それぞれ、側面には戸当り材取付部１１ｂ１，１２ｂ１を、正面又は背面には互いに他の門扉等に取り付けられた戸当り材と当接する戸当り材当接部１１ｂ２，１２ｂ２を有する。
【００２３】
一方、戸当たり材２１，２２は横断面形状Ｌ字形に形成されており、その戸当たり材をＬ字の一辺において縦框１１，１２の戸当たり部１ｂ，１２ｂの戸当り材取付部１１ｂ１，１２ｂ１にねじｎなどで固着するようにした。従って、戸先側縦框１１，１２には、その縦框に戸当たり材２１，２２を取り付けたものとし、吊り元側縦框１１’，１２’には、戸当たり材を取り付けない縦框のみを用いている。戸当たり材２１，２２は、同一部材を反転して用いている。
【００２４】
第２に、キャップＡ（Ａ１１，Ａ１２）は、図５に示すように、縦框の戸当たり部１１ｂ，１２ｂの台形状とほぼ同一形状を有する縦框被覆部１の先端部に、戸当たり材２１，２２のＬ字形とほぼ同一形状を有する戸当たり材被覆部２を一体に接続してなっている。縦框被覆部１は水平一方向と上方又は下方に開口する溝３を有するドーム状に形成されている。縦框被覆部１と戸当たり材被覆部２との境界部分に、縦框被覆部１の溝の上下開口方向に延びる固着片４が設けられている。
【００２５】
そして、キャップＡが戸当たり材付き戸先側縦框１１，１２に使用される場合は、図５に示されたものが取り付けられるが、戸当たり材を有しない吊り元側縦框１１’，１２’には、図５のものから戸当たり材被覆部２が切除された形のキャップ（図示省略）が取り付けられる。
【００２６】
また、図５の符号５は、図３及び図４に示すように、戸当たり材付き戸先側縦框１１，１２の下端部に取り付けられるキャップＡ’（Ａ２１，Ａ２２）の縦框被覆部１に設けられる落とし棒Ｒ１，Ｒ２を貫通させるための孔である（戸当たり材付き戸先側縦框１１，１２の上端部に取り付けられるキャップＡは、落とし棒貫通用の孔５を有しない。）。
【００２７】
上記キャップＡの縦框に対する取り付け方法を、図２の受け扉Ｄ１の戸先側縦框１１の上端部に取り付ける場合を例に説明する。縦框被覆部１の溝３の中に縦框１１のと当たり部１１ｂを嵌合するとともに、戸当たり材被覆部２を戸当たり材２１の上端部に載せて、キャップＡ１１により縦框１１の戸当たり部１１ｂの上端面及び戸当たり材２１の上端面を被覆する。そして、戸当たり材２１を縦框１１に取り付けるねじｎをキャップＡ１１の固着片４までねじ込んで、キャップＡを固定する。
【００２８】
掛け扉Ｄ２の戸先側縦框１２の上端部にも、キャップＡ１２が同様の要領で取り付けられる。また、受け扉Ｄ１の戸先側縦框１１及び掛け扉Ｄ２の戸先側縦框１２の下端部には、上述した孔５を有するキャップＡ（Ａ２１，Ａ２２）が同様の要領で取り付けられる。さらに、各扉Ｄ１，Ｄ２の吊り元側縦框１１’，１２’の上、下端部には戸当たり材被覆部２を有しないキャップ（図示省略）が同様の要領で取り付けられる。
【００２９】
キャップＡには、さらに、縦框被覆部１の溝３の内壁面に、固着片４から水平方向開口側に離れた位置において、溝幅が広くなるように段部６が形成されている。従って、縦框に取り付けられたキャップの縦框被覆部１の溝３の内壁面と、その縦框の表裏両面との間にわずかな隙間が形成される。また、溝３を形成する両側の壁の端部にも、溝幅が広くなるように段部７が形成されている。
【００３０】
図６に示すように、門扉Ｄ１の上下の横框１４，１４’は、中空短冊状の横框本体１４ａの一端部にその横框本体の厚み方向両側に突出する突条１４ｂが設けられている。各縦框１１，１１’；１２，１２’；１３，１３’の厚さ寸法は、外観統一のため、全て同一に設定されている。そして、本発明においては、横框本体１４ａの厚さ寸法は、それらの縦框の厚さよりも小さくされ、突条１４ｂの幅寸法は各縦框の厚さ寸法と等しくされている。
【００３１】
そして、後述されるカバー材の幅方向両側部分を嵌着するための手段の一例として、突条１４ｂの両端部付近における横框本体１４ａと反対側の位置に、片矢状の係止片１４ｃが設けられている。上下の横框１４，１４’は、同一部材を上下対称形に左右の縦框の間に配置され、長手方向両端部が補強板８を介して各縦框側からビスｂを横框本体１４ａに設けてあるビスホール１４ｄにねじ込むことにより、横框本体１４ａを縦框の厚さ方向中央に位置させて接続されている。
【００３２】
従って、横框本体１４ａの正面と各縦框の正面との間、及び横框本体１４ａの背面と各縦框の背面との間にそれぞれ段差が生じる。この段差を利用して、上側の横框１４の突条１４ｂから下側の横框１４’の突条１４ｂまで連続する格子１５を門扉に取り付けることを可能にしている。格子１５の長手方向両端部には、横框本体１４ａの断面形状と同一の形状を有する溝１５ａが形成されている。この溝は、格子１５の長手方向端面と材軸に直角な方向に開口されている。従って、両側の溝溝１５ａに上下の横框１４，１４’を嵌合することにより、格子を装着することができる。
【００３３】
図２，３，６中、１６は上下の横框の上端部又は下端部に取り付けられるカバー材である。カバー材１６は、キャップＡの縦框被覆部１の断面形状と、これよりもやや小さな相似形に形成され、その開口面の至近位置の内側に、横框の係止突条１４ｂの両端部と係止片１４ｃとの間に係合して固定される突条１６ａが形成されている。
【００３４】
従って、上側の横框１４の突条１４ｂの上方からカバー材１６をその突条１４ｂに向けて押し付けることにより、カバー材１６の両側の突条１６ａを横框１４の両側の係止片１４ｃに強く嵌着して固定することができる。このとき、カバー材１６の両側壁の下端部は、横框１４の突条１４ｂよりも下方に突出するように構成されているので、横框に装着された格子１５の上端面と、突条１４ｂの下面との間の微小隙間（チリ）がそのカバー材１６の両側壁の下端部により隠蔽される。
【００３５】
カバー材１６は、門扉の上辺の両端部に取り付けられるキャップ間の距離よりもわずかに大きい長さを有している。従って、上側の横框１４にカバー材１６を取り付けた後、上記キャップＡ１１又はＡ１２を取り付ける際は、そのカバー材１６の長手方向両端部をキャップＡの縦框被覆部１の溝３の段部６に嵌合して、カバー材１６の長手方向両端部を被覆することができる。これにより、門扉の上辺両側のキャップとカバー材が見掛け上、一体に連続する外観を備えている。
【００３６】
下側の横框１４’に対しても、カバー材１６及びキャップＡ２１，Ａ２２を同じ要領で取り付けることができ、門扉の下辺両側のキャップとカバー材が見掛け上、一体に連続する外観を備えている。
【００３７】
上記の構成は、図１の袖門扉に対しても、同様に適用することができる。
【００３８】
さらに、上述したように、両開き門扉の場合は、同じ形状のキャップＡが受け扉と掛け扉の戸先側縦框の上端部に反転して取り付けられるので、図７に示すように、門扉閉鎖時においては、凹凸嵌合した状態になり、かつ、キャップの幅がカバー材の幅とほぼ等しいため、左右の門扉の上端面が滑らかに連続する外観を備える。
【００３９】
こうして、実施の形態は、以上の構成を総合した結果、図１に示すように、キャップ、カバー材及び格子により、従来見られなかった淡麗かつ優雅な美的印象を与える外観を備えることができるようになった。
【図面の簡単な説明】
【００４０】
【図１】本発明を適用して完成された門扉を取り付けた門の正面図。
【図２】図１の両開き門扉を左右に引き離して示した平面図。
【図３】図１のＸ部分の拡大図。
【図４】図３のＹ−Ｙ線断面図。
【図５】キャップの展開図。
【図６】図２のＺ−Ｚ線に沿った断面図。
【図７】両開き門扉の閉鎖状態における召し合わせ部の上端面の外観を示す斜視図。
【図８】従来の戸当たり材を備えた門扉の召し合わせ部の断面図。
【符号の説明】
【００４１】
Ｐ１，Ｐ２，Ｐ３      門柱
Ｄ１，Ｄ２，Ｄ３      門扉
１１，１２，１３      戸先側縦框
１１’，１２’，１３’吊り元側縦框
１１ａ，１２ａ        基部
１１ｂ，１２ｂ        戸当たり部
１１ｂ１，１２ｂ１    戸当たり材取付部
１１ｂ２，１２ｂ２    戸当り材当接部
１４，１４’          横框
１４ａ                横框本体
１４ｂ                突条
１４ｃ                係止片  
１５                  格子
Ａ，Ａ’              キャップ
Ａ１１，Ａ１２，Ａ２１，Ａ２２    キャップ  
１                    縦框被覆部
２                    戸当たり材被覆部
３                    溝
４                    固着片
５                    落とし棒貫通用孔
２１，２２            戸当たり材
【図１】
2008184833.tif 000003
【図２】
2008184833.tif 000004
【図３】
2008184833.tif 000005
【図４】
2008184833.tif 000006
【図５】
2008184833.tif 000007
【図６】
2008184833.tif 000008
【図７】
2008184833.tif 000009
【図８】
2008184833.tif 000010